(57)【要約】【課題】液晶にＤＣ電圧成分が長時間印加されることによる焼きつきを軽減し、かつフリッカが認識されないような駆動方法を備える液晶表示装置を提供する。【解決手段】ｋ−１行１列の画素には、２ｎ−１フィールドでは−Ｖａ、２ｎフィールドでは−Ｖｃ、２ｎ＋１フィールドでは＋Ｖａの電圧が印加されている。さらにｍフィールド後の２ｎ＋ｍ−１フィールドでは＋Ｖａ、２ｎ＋ｍフィールドでは＋Ｖｃ、２ｎ＋ｍ＋１フィールドでは−Ｖａ、２ｎ＋ｍ＋２フィールドでは＋Ｖａの電圧がそれぞれ印加されている。１フィールド単位よりも長い周期（Ｓ期間）ごとに、入力された映像信号の期間と入力された映像信号の逆電圧極性の期間とが交互に反転するような駆動され、それに伴いＤＣ電圧成分が生じるｋ−１行１列の画素には、２ｎフィールドでは−Ｖｃ、Ｓ期間後の２ｎ＋ｍフィールドでは＋Ｖｃの電圧が印加されている。【選択図】　図２
2004094017.tif 000002
【特許請求の範囲】
【請求項１】
画素がマトリックス状に配置され、奇数フィールドと偶数フィールドとで入力される映像信号が異なるインターレス駆動する液晶表示装置であって、
前記奇数フィールドと前記偶数フィールドとで入力される前記映像信号の電圧極性を反転させる手段と、
１フィールドより長い所定の周期ごとに、入力される前記映像信号の期間と入力される前記映像信号の逆電圧極性の期間とを交互に反転させる手段と、
入力される前記映像信号の前記期間と入力される前記映像信号の逆電圧極性の前記期間とが反転するタイミングの最初のフィールドに属する前記映像信号を変化させて前記画素に供給する補正映像データを生成する映像信号制御手段とを備える液晶表示装置。
【請求項２】
請求項１記載の液晶表示装置であって、
前記映像信号制御手段は、前記映像信号に所定の係数を掛けることにより前記補正映像データを生成することを特徴とする液晶表示装置。
【請求項３】
請求項２記載の液晶表示装置であって、
前記映像信号制御手段は、前記映像信号の輝度の大きさにより前記映像信号に掛ける所定の係数を変化させることを特徴とする液晶表示装置。
【請求項４】
請求項１記載の液晶表示装置であって、
前記映像信号制御手段は、前記映像信号に所定の値を加えることにより前記補正映像データを生成することを特徴とする液晶表示装置。
【請求項５】
請求項４記載の液晶表示装置であって、
前記映像信号制御手段は、前記映像信号の輝度の大きさにより前記映像信号に加える所定の値を変化させることを特徴とする液晶表示装置。
【請求項６】
請求項１記載の液晶表示装置であって、
前記映像信号制御手段は、あらかじめ定められたルックアップテーブルを参照して、前記映像信号に対応する前記補正映像データを生成することを特徴とする液晶表示装置。
【発明の詳細な説明】
【０００１】
【発明の属する技術分野】
本発明は、液晶表示装置に係る発明であって、特に、焼きつきを防止し、フリッカを低減することができる駆動方法を有する液晶表示装置に関するものである。
【０００２】
【従来の技術】
従来のマトリックス型液晶表示装置で行われていた、インターレス映像信号による表示について説明する。図５（ａ）に、従来のマトリックス型液晶表示装置に係る表示の模式図を示す。この模式図では、ｋ−２行からｋ＋３までの６行、８列のマトリックス状に画素が図示されている。また、図中の白丸、黒丸、白四角、黒四角は、画素を示し、白丸には＋Ｖａ、黒丸には−Ｖａ、白四角には＋Ｖｂ、黒四角には−Ｖｂの電圧がそれぞれ印加されている。
【０００３】
マトリックス型液晶表示装置の駆動方式は、ＡＣ駆動方式であり、このＡＣ駆動方式にはフレーム反転、ライン反転、ドット反転方式がある。図５では、ドット反転方式で説明する。このドット反転方式とは、隣接するドット（画素）間の極性が各フィールドで異なるように反転する駆動方式である。例えば、ｋ−１行１列の画素に注目すると、２ｎ−１フィールドでは−Ｖａ、２ｎフィールドでは＋Ｖａ、さらに、２ｎ＋１フィールドでは−Ｖａの電圧が印加されている。
【０００４】
図５（ｂ）にｋ−１行１列の画素に印加される電圧波形を示す。この波形は、液晶に長時間にわたってＤＣ電圧が印加されることで液晶内部で分極が生じ、焼きつきなどの表示不良を引き起こすのを防ぐためである。つまり、偶数フィールドの２ｎ−２及び２ｎフィールドで電圧＋Ｖａが印加され、奇数フィールドの２ｎ−１及び２ｎ＋１フィールドで電圧−Ｖａが印加されている。そのため、偶数フィールドと奇数フィールドとで電圧が打ち消し合い、ｋ−１行１列の画素にＤＣ電圧成分は存在しない。
【０００５】
しかし、マトリックス型液晶表示装置に入力されるインターレス映像信号は、偶数フィールドと奇数フィールドとで常に同じ映像信号であるとは限らない。つまり、ｋ−１行１列の画素のように偶数フィールドと奇数フィールドとで極性が異なる同じ大きさの電圧が印加される場合だけではなく、異なる大きさの電圧が印加される場合もある。例えば、図５（ａ）に示すｋ行１列の画素に注目すると、奇数フィールドでは＋Ｖａ、偶数フィールドでは−Ｖｂの電圧が印加されている。
【０００６】
この場合、図５（ｃ）にｋ行１列の画素に印加される電圧波形を示す。この波形では、偶数フィールドの２ｎ−２及び２ｎフィールドで電圧−Ｖｂが印加され、奇数フィールドの２ｎ−１及び２ｎ＋１フィールドで電圧＋Ｖａが印加されている。そのため、偶数フィールドと奇数フィールドとで電圧が打ち消し合わず、ｋ行１列の画素にＤＣ電圧成分が残る。このときのＤＣ電圧成分は、（Ｖａ−Ｖｂ）／２となる。この状態が長時間続くと焼きつきなどの表示不良を引き起こしてしまう。
【０００７】
そこで、残るＤＣ電圧成分による焼きつきなどの表示不良を防止する駆動方法として以下のような駆動方法がある。図６（ａ）に、マトリックス型液晶表示装置に係る表示の模式図を示す。図６（ａ）の模式図では、図５（ａ）と同様ｋ−２行からｋ＋３までの６行、８列のマトリックス状に画素が図示されている。また、図中の白丸、黒丸、白四角、黒四角は、画素を示し、白丸には＋Ｖａ、黒丸には−Ｖａ、白四角には＋Ｖｂ、黒四角には−Ｖｂの電圧がそれぞれ印加されている。
【０００８】
ｋ行１列の画素に注目すると、２ｎ−１フィールドでは＋Ｖａ、２ｎフィールドでは＋Ｖｂ、２ｎ＋１フィールドでは−Ｖａの電圧が印加されている。さらにｍフィールド後の２ｎ＋ｍ−１フィールドでは−Ｖａ、２ｎ＋ｍフィールドでは−Ｖｂ、２ｎ＋ｍ＋１フィールドでは＋Ｖａ、２ｎ＋ｍ＋２フィールドでは−Ｖｂの電圧がそれぞれ印加されている。これを図６（ｃ）にｋ行１列の画素に印加される電圧波形として示す。
【０００９】
この波形では、２ｎ−１フィールド以前の偶数・奇数フィールドに印加される電圧極性と２ｎフィールドから２ｎ＋ｍ−１フィールドまでの偶数・奇数フィールドに印加される電圧極性とが反転している。つまり、図６に示す駆動方法は、１フィールド単位よりも長い周期（図６ではｍフィールド）ごとに、入力された映像信号の期間と入力された映像信号の逆電圧極性の期間とが交互に反転するような駆動方法である。これにより、図６（ｃ）で示すように２ｎ−１フィールド以前では、偶数フィールドと奇数フィールドに印加される電圧の差より＋（Ｖａ−Ｖｂ）／２のＤＣ電圧成分が生じ、２ｎフィールドから２ｎ＋ｍ−１フィールドまでは、偶数フィールドと奇数フィールドに印加される電圧の差より−（Ｖａ−Ｖｂ）／２のＤＣ電圧成分が生じる。
【００１０】
そのため、長い期間でこの駆動方法で駆動すると、＋（Ｖａ−Ｖｂ）／２のＤＣ電圧成分と−（Ｖａ−Ｖｂ）／２のＤＣ電圧成分とがｍフィールドごとに現れ、互いにＤＣ電圧成分を打ち消し合うことになる。よって、ｋ行１列の画素には、ＤＣ電圧成分が残らず、焼きつきなどの表示不良の問題を解消することができる。
【００１１】
なお、ｋ−１行１列の画素に注目しても、２ｎ−１フィールドでは−Ｖａ、２ｎフィールドでは−Ｖａ、２ｎ＋１フィールドでは＋Ｖａの電圧が印加されている。さらにｍフィールド後の２ｎ＋ｍ−１フィールドでは＋Ｖａ、２ｎ＋ｍフィールドでは＋Ｖａ、２ｎ＋ｍ＋１フィールドでは−Ｖａ、２ｎ＋ｍ＋２フィールドでは＋Ｖａの電圧がそれぞれ印加されている。これを図６（ｂ）にｋ行１列の画素に印加される電圧波形として示す。
【００１２】
このｋ−１行１列の画素でも、１フィールド単位よりも長い周期（図６ではｍフィールド）ごとに、入力された映像信号の期間と入力された映像信号の逆電圧極性の期間とが交互に反転するような駆動であるため、図６（ｂ）に示すように２ｎフィールドで−Ｖａ／２のＤＣ電圧成分が、２ｎ＋ｍフィールドで＋Ｖａ／２のＤＣ電圧成分がそれぞれ生じる。これもｋ行１列の画素と同様、長い期間でこの駆動方法で駆動することにより、＋Ｖａ／２のＤＣ電圧成分と−Ｖａ／２のＤＣ電圧成分とがｍフィールドごとに現れ、互いにＤＣ電圧成分を打ち消し合うことになる。よって、ｋ−１行１列の画素にもＤＣ電圧成分が残らない。図６に示した駆動方法については特許文献１に詳しい。
【００１３】
図６に示した駆動方法を行うことにより、画素に印加されるＤＣ電圧成分を打ち消し合い、焼きつきなどの表示不良の問題を解消することができる。しかし、１フィールド単位よりも長い周期（図６ではｍフィールド）ごとに、入力された映像信号の期間と入力された映像信号の逆電圧極性の期間とが交互に反転するような駆動方法であるため、図６（ｂ）に示すように大きさがＶａ／２のＤＣ電圧成分がｍフィールドごとに現れる。そのため、このＤＣ電圧成分が画素に印加される電圧に重畳し、輝度差を生じさせ液晶表示装置の画面にフリッカを発生させる。一般的にＤＣ電圧成分の大きさがそのまま映像信号に重畳される訳ではないが、フリッカの強度は、ＤＣ電圧成分の大きさに依存する。
【００１４】
そこで、フリッカを低減する駆動方法として、液晶の光源のスイッチと、液晶駆動信号とを同期させ、画面にフリッカが見えるタイミングに合わせて液晶の光源の輝度を変化させる方法がある。この駆動方法により、フリッカを人の目に認識されるレベル以下にすることが可能である。この駆動方法については、特許文献２で詳細に説明されている。
【００１５】
【特許文献１】特許第２５７７７９６号公報
【特許文献２】特開２０００−２１４４３７号公報
【００１６】
【発明が解決しようとする課題】
しかし、特許文献２で示した駆動方法では、液晶表示装置内の光源の輝度を変化させるため、画面全体を一様にしか変化させることしかできない。一方、フリッカは、画面全体に一様に発生する訳ではなく、画素に印加される電圧（例えば、＋Ｖａ等）によって異なってくる。また、フリッカの強度は、画素に印加されるＤＣ電圧成分の大きさに依存するため、部分的にＤＣ電圧成分が異なる場合、フリッカの強度も画面内で異なる。
【００１７】
従って、１画面中に輝度が異なる映像信号が入力される場合や映像信号が順次更新されるような動画の場合では、特許文献２で示した駆動方法を用いても、画面中に生じるフリッカについて全て対応することができない。そのため、特許文献２で示した駆動方法であっても、人の目にフリッカが認識されてしまう場合がある。
【００１８】
そこで、本発明は、液晶にＤＣ電圧成分が長時間印加されることによる焼きつきを軽減し、かつフリッカが認識されないような駆動方法を備える液晶表示装置を提供することを目的とする。
【００１９】
【課題を解決するための手段】
本発明の請求項１に係る解決手段は、画素がマトリックス状に配置され、奇数フィールドと偶数フィールドとで入力される映像信号が異なるインターレス駆動する液晶表示装置であって、奇数フィールドと偶数フィールドとで入力される映像信号の電圧極性を反転させる手段と、１フィールドより長い所定の周期ごとに、入力される映像信号の期間と入力される映像信号の逆電圧極性の期間とを交互に反転させる手段と、入力される映像信号の期間と入力される映像信号の逆電圧極性の期間とが反転するタイミングの最初のフィールドに属する、映像信号を変化させて画素に供給する補正映像データを生成する映像信号制御手段とを備える。
【００２０】
本発明の請求項２に係る解決手段は、請求項１記載の液晶表示装置であって、映像信号制御手段は、映像信号に所定の係数を掛けることにより補正映像データを生成する。
【００２１】
本発明の請求項３に係る解決手段は、請求項２記載の液晶表示装置であって、映像信号制御手段は、映像信号の輝度の大きさにより映像信号に掛ける所定の係数を変化させる。
【００２２】
本発明の請求項４に係る解決手段は、請求項１記載の液晶表示装置であって、映像信号制御手段は、映像信号に所定の値を加えることにより補正映像データを生成する。
【００２３】
本発明の請求項５に係る解決手段は、請求項４記載の液晶表示装置であって、映像信号制御手段は、映像信号の輝度の大きさにより映像信号に加える所定の値を変化させる。
【００２４】
本発明の請求項６に係る解決手段は、請求項１記載の液晶表示装置であって、映像信号制御手段は、あらかじめ定められたルックアップテーブルを参照して、映像信号に対応する補正映像データを生成する。
【００２５】
【発明の実施の形態】
以下、本発明をその実施の形態を示す図面に基づいて具体的に説明する。
【００２６】
（実施の形態１）
図１に、本実施の形態に係るマトリックス型液晶表示装置１の構成図を示す。図１において、ＰＣ等から出力された映像信号は、基本回路２に入力される。この基本回路２では、他の液晶表示装置と同様、映像信号の画質補正、モジュール制御信号の発生やスケーリング等の必要な動作を行っている。ＣＰＵ３は、基本回路２やタイミング発生回路４の制御を行い、本実施の形態における液晶表示装置の駆動を制御している。
【００２７】
次に、タイミング発生回路４は、液晶パネル５を駆動する垂直同期信号Ｖに同期して、ＡＣ駆動制御回路６が電圧極性を駆動することができるタイミング信号を発生する。ＡＣ駆動制御回路６は、液晶パネル５の電圧極性を制御する信号を発生する。本実施の形態では、垂直同期信号Ｖのパルス幅を変化させることによって電圧極性を制御している。なお、パルス幅は、ＣＰＵ３により指定される。
【００２８】
次に、画像補正回路７は、ＡＣ駆動制御回路６が電圧極性を制御するタイミングに合わせて、フリッカをキャンセルするために映像信号を変化させ補正映像データを生成する。補正映像データの生成は、ＣＰＵ３により制御される。変化させる必要のない映像信号は、映像データに変換される。液晶パネル５は、表示パネルと、奇数フィールドと偶数フィールドの１フィールドごとに画素に印加する電圧極性を反転駆動するためのドライバと、１フィールド単位よりも長い周期ごとに、入力された映像信号の期間と入力された映像信号の逆電圧極性の期間とが交互に反転するような駆動する回路を備えている。そして、液晶パネル５は、画像補正回路７から出力された映像データ及び補正映像データと、ＡＣ駆動制御回路６から出力された極性制御信号と、基本回路２から出力されるタイミング信号に従い表示パネル上に映像を表示する。
【００２９】
図２（ａ）に本実施の形態に係るマトリックス型液晶表示装置の表示の模式図を示す。図２（ａ）の模式図では、ｋ−２行からｋ＋３までの６行、８列のマトリックス状に画素が図示されている。また、図中の白丸、黒丸、白四角、黒四角、白三角、黒三角、白菱形、黒菱形は、画素を示し、白丸には＋Ｖａ、黒丸には−Ｖａ、白四角には＋Ｖｂ、黒四角には−Ｖｂ、白三角には＋Ｖｃ、黒三角には−Ｖｃ、白菱形には＋Ｖｄ、黒菱形には−Ｖｄの電圧がそれぞれ印加されている。
【００３０】
図２（ａ）のｋ行１列の画素に注目すると、２ｎ−１フィールドでは＋Ｖａ、２ｎフィールドでは＋Ｖｄ、２ｎ＋１フィールドでは−Ｖａの電圧が印加されている。さらにｍフィールド後の２ｎ＋ｍ−１フィールドでは−Ｖａ、２ｎ＋ｍフィールドでは−Ｖｄ、２ｎ＋ｍ＋１フィールドでは＋Ｖａ、２ｎ＋ｍ＋２フィールドでは−Ｖｂの電圧がそれぞれ印加されている。これを電圧波形として示したのが、図２（ｃ）である。
【００３１】
この波形では、２ｎ−１フィールド以前の偶数・奇数フィールドには、＋（Ｖａ−Ｖｂ）／２のＤＣ電圧成分が生じている。そのため、このＤＣ電圧成分が長時間ｋ行１列の画素に存在すると焼きつきを起こすことになる。そこで、本実施の形態に係る液晶表示装置の駆動方法では、２ｎフィールドから２ｎ＋ｍ−１フィールドまでＳ期間は、２ｎ−１フィールド以前の偶数・奇数フィールドに印加された映像信号の逆電圧極性が印加されている。そのため、２ｎフィールドから２ｎ＋ｍ−１フィールドまでは、−（Ｖａ−Ｖｂ）／２のＤＣ電圧成分が生じ、２ｎ−１フィールド以前に生じる＋（Ｖａ−Ｖｂ）／２のＤＣ電圧成分とキャンセルすることになる。ここで、２ｎフィールドでは＋Ｖｄ、２ｎ＋ｍフィールドでは−Ｖｄが印加されているが、１フィールドはＳ期間に較べ非常に短い為、ＤＣ電圧成分はおおよそ上記の値になる。
【００３２】
つまり、図２（ｃ）に示す駆動方法では、１フィールド単位よりも長い周期（Ｓ期間）ごとに、入力された映像信号の期間と入力された映像信号の逆電圧極性の期間とが交互に反転するような駆動方法である。これにより、＋（Ｖａ−Ｖｂ）／２のＤＣ電圧成分の期間と−（Ｖａ−Ｖｂ）／２のＤＣ電圧成分の期間とがＳ期間ごとに現れ、互いにＤＣ電圧成分を打ち消し合いｋ行１列の画素の焼きつきを軽減する。
【００３３】
なお、Ｓ期間は、１フィールド単位よりも長いが、画素に残像が残る期間よりも短い期間である。また、Ｓ期間は、ほぼｍフィールド分の期間であるが、厳密に等しくなくても良い。ｍフィールド付近のおおよその時間で極性制御することで長い時間で見ればＤＣ電圧成分は、ほぼ打ち消し合うこととなり、焼きつきを軽減することができるからである。
【００３４】
また、電圧極性の制御方法には、外部から液晶パネル５へのＨ／Ｌの制御信号を供給することで制御する方法、ＡＣ駆動制御回路６の垂直同期信号Ｖとイネーブル信号Ｅｎの関係によって制御するもの等がある。本実施の形態では、垂直同期信号Ｖの幅とイネーブル信号Ｅｎとの関係（垂直同期信号の先頭よりイネーブル信号の先頭までのタイミングが、常に一定）によって制御、つまり垂直同期信号Ｖの幅を１水平（Ｈ）分増減することで極性を反転させている。
【００３５】
次に、図２（ａ）のｋ−１行１列の画素に注目する。図６では、１フィールド単位よりも長い周期（図６ではｍフィールド）ごとに、入力された映像信号の期間と入力された映像信号の逆電圧極性の期間とが交互に反転することにより、大きさがＶａ／２のＤＣ電圧成分がＳ期間（ｍフィールド）ごとに現れる。そのため、このＤＣ電圧成分が２ｎフィールドの画素に印加される電圧に重畳し、画素の輝度を変化させ液晶表示装置の画面にフリッカを生じさせていた。
【００３６】
本実施の形態では、図２（ａ）の２ｎフィールドでのｋ−１行１列の画素では、本来−Ｖａの電圧が印加されている必要があるのを、ＤＣ電圧成分を考慮して−Ｖｃの電圧を印加している。つまり、図２（ａ）のｋ−１行１列の画素では、２ｎ−１フィールドでは−Ｖａ、２ｎフィールドでは−Ｖｃ、２ｎ＋１フィールドでは＋Ｖａの電圧が印加されている。さらにｍフィールド後の２ｎ＋ｍ−１フィールドでは＋Ｖａ、２ｎ＋ｍフィールドでは＋Ｖｃ、２ｎ＋ｍ＋１フィールドでは−Ｖａ、２ｎ＋ｍ＋２フィールドでは＋Ｖａの電圧がそれぞれ印加されている。これを電圧波形として示したのが図２（ｂ）である。
【００３７】
本実施の形態の駆動方法では、１フィールド単位よりも長い周期（Ｓ期間）ごとに、入力された映像信号の期間と入力された映像信号の逆電圧極性の期間とが交互に反転するような駆動により生じるＤＣ電圧成分を考慮して、ｋ−１行１列の画素について、２ｎフィールドでは−Ｖｃ、Ｓ期間後の２ｎ＋ｍフィールドでは＋Ｖｃの電圧が印加されている。これにより、２ｎフィールド、２ｎ＋ｍフィールドに−Ｖａ、＋Ｖａの電圧を印加した場合に比べて、重畳するＤＣ電圧成分によるフリッカを低減することができる。
【００３８】
ここで、ｋ−１行１列の画素が２ｎフィールドに印加される電圧について説明する。まず、基本回路２には、液晶パネル５で−Ｖａの電圧を印加する映像信号が入力され、この映像信号が画像補正回路７に送られる。ＣＰＵ３の制御により画像補正回路７において、映像信号は補正係数αが掛けられ補正映像データとして生成される。この補正映像データが液晶パネル５に入力され、ｋ−１行１列の画素に−Ｖｃの電圧を印加される。なお、２ｎフィールドに生じるＤＣ電圧成分による単位輝度あたりの輝度変化量Ｄｃとすると、補正係数αは、１−Ｄｃとなる。例えば、５０％の輝度の映像信号（画素に印加される電圧で表すと＋Ｖａとする。）で、輝度変化量Ｄｃが０．１である場合、補正係数αは（１−０．１）より０．９となり、補正映像データは（５０％×０．９）より４５％の輝度となる。この４５％の輝度を画素に印加される電圧で表すと＋Ｖｃとする。
【００３９】
同様にＤＣ電圧成分が生じる全ての画素、全てのフィールドにおいて、映像信号から補正映像データが生成される。例えば、ｋ＋３行１列の画素は、２ｎフィールドでは−Ｖｄ、２ｎ＋ｍフィールドでは＋Ｖｄの電圧が印加されている。なお、一般的には、ＤＣ電圧成分の大きさは印加される電圧の大きさに依存し、フリッカの強度はＤＣ電圧成分の大きさに依存する。そのため、ｋ＋３行１列の画素のフリッカ強度は、（＋Ｖａ）＞（＋Ｖｂ）関係から、ｋ−１行１列の画素のフリッカ強度より小さくなる。
【００４０】
図３に、本実施の形態に係る映像データのタイミングチャートを示す。ここで、Ｄ２ｎは２ｎフィールドでの映像データである。本実施の形態では、入力された映像信号の期間と入力された映像信号の逆電圧極性の期間とが交互に反転する電圧の極性が反転するタイミングの最初のフィールド２ｎフィールド、２ｎ＋ｍフィールドに補正映像データが供給される。この補正映像データは、映像データに補正係数αが掛けられたＤ２ｎ×α、Ｄ２ｎ＋ｍ×αと表されている。図３に示した映像データ及び補正映像データが液晶パネル５に供給され映像が表示される。
【００４１】
上記のように、映像信号に補正係数αを掛けた補正映像データとすることで、ＤＣ電圧成分が長時間印加されることによる焼きつきを軽減し、かつＤＣ電圧成分の重畳による輝度変化を低減させてフリッカを低減することができる。また、本実施の形態の液晶表示装置の駆動方法では、映像信号に基づいて必要な領域のフリッカを低減することができる。なお、上記の実施の形態では、画像補正回路７で映像信号に補正係数を掛けて補正映像データを生成する例を示したが、映像信号に補正係数を掛けるのではなく、画素へ印加する電圧に対して補正係数を掛けることにより、ＤＣ電圧成分の重畳によるフリッカを低減させることも可能である。
【００４２】
（実施の形態２）
図４に、マトリックス型液晶表示装置の輝度と輝度変化量の液晶特性を示す。液晶表示装置においては輝度と輝度変化量との液晶特性は直線的ではない。例えば、輝度が高くなるについて輝度変化量は小さくなる。そのため、実施の形態１で説明した補正係数αを全ての輝度に対して適用すると、実際の液晶表示装置の輝度と輝度変化量との液晶特性からフリッカを十分に低減できない輝度が生じてしまう。
【００４３】
そこで、本実施の形態では、液晶表示装置の輝度と輝度変化量との液晶特性から、それぞれの輝度に対する補正係数を設定する。図４では、輝度が０〜Ｌａまでの領域では輝度変化量をＸａとして、補正係数を１−Ｘａとする。次に、輝度がＬａ〜Ｌｂまでの領域では輝度変化量をＸｂとして、補正係数を１−Ｘｂとする。さらに、輝度がＬｂ〜Ｌｍａｘまでの領域では輝度変化量をＸｃとして、補正係数を１−Ｘｃとする。これにより、輝度と輝度変化量との液晶特性に即した、最適な補正係数が適用されフリッカを十分に低減できる。
【００４４】
なお、図４では輝度を３つの領域（０〜Ｌａ、Ｌａ〜Ｌｂ、Ｌｂ〜Ｌｍａｘ）に分割したが、さらに輝度と輝度変化量との液晶特性に即した補正係数を求めるためには、輝度をより多くの領域に分割して、それぞれの領域において補正係数を設定することにより可能となる。
【００４５】
（実施の形態３）
実施の形態２でも説明したように、より輝度と輝度変化量との液晶特性に即した補正係数とするためには、輝度をより多くの領域に分割することである。輝度が６４階調の場合は、輝度を６４分割して補正係数を求めれば、全ての輝度に最適な補正係数が与えられたフリッカを低減できる駆動が可能となる。
【００４６】
本実施の形態では上記の考えから、あらかじめ輝度ごとに補正係数が参照できるようなルックアップテーブルを作成しておき、それを画像補正回路７のメモリー内に記憶させておく。このルックアップテーブルを用いて、該当する輝度に対する補正係数を映像信号に適用して補正映像データを生成して、フリッカを低減することが可能となる。
【００４７】
これにより、輝度が選択可能な階調ごとに分割して補正係数を求めておけば、全ての輝度に最適な補正係数が与えられたフリッカを低減できる駆動が可能となる。なお、全ての階調ごとにルックアップテーブルを作成するのではなく、一定間隔の階調のみでルックアップテーブルを作成することも可能である。
【００４８】
（実施の形態４）
実施の形態１では、補正係数を映像信号に適用して補正映像データを生成していたが、表示する画像が限られた特定用途の液晶表示装置のような場合には、表示される画像が単純であるため、個々の画素について補正係数を求めて補正映像データを生成しなくても、十分なフリッカを低減できると考えられる。
【００４９】
本実施の形態では、表示画像の輝度で起きるフリッカを補正する補正値を映像データに一意に加えることでフリッカを低減している。これにより、実施の形態１で必要な補正係数を映像信号に適用して補正映像データを生成する回路が不要になり、簡単な回路構成で十分なフリッカを低減できる。
【００５０】
また、フリッカを補正する補正値を表示画像の輝度によって変更することで、様々な輝度の表示画像に対して十分なフリッカを低減が可能となる。
【００５１】
【発明の効果】
本発明の請求項１に記載の液晶表示装置は、入力される前記映像信号の前記期間と入力される前記映像信号の逆電圧極性の前記期間とが反転するタイミングの最初のフィールドに属する前記映像信号を変化させて前記画素に供給する補正映像データを生成する映像信号制御手段を備えるので、ＤＣ電圧成分が長時間印加されることによる焼きつきを軽減し、ＤＣ電圧成分の重畳による輝度変化を低減させてフリッカを低減することができる効果がある。
【００５２】
本発明の請求項２に記載の液晶表示装置は、前記映像信号に所定の係数を掛けることにより前記補正映像データを生成するので、映像信号に基づいて必要な領域のフリッカを低減することができる効果がある。
【００５３】
本発明の請求項３に記載の液晶表示装置は、前記映像信号の輝度の大きさにより前記映像信号に掛ける所定の係数を変化させるので、輝度と輝度変化量との液晶特性に即した、最適な補正係数が適用されフリッカを十分に低減できる効果がある。
【００５４】
本発明の請求項４に記載の液晶表示装置は、前記映像信号に所定の値を加えることにより前記補正映像データを生成するので、簡単な回路構成で十分なフリッカを低減できる効果がある。
【００５５】
本発明の請求項５に記載の液晶表示装置は、前記映像信号の輝度の大きさにより前記映像信号に加える所定の値を変化させるので、様々な輝度の表示画像に対して十分なフリッカを低減が可能となる効果がある。
【００５６】
本発明の請求項６に記載の液晶表示装置は、あらかじめ定められたルックアップテーブルを参照して、前記映像信号に対応する前記補正映像データを生成するので、全ての輝度に最適な補正係数が与えられたフリッカを低減できる駆動が可能となる効果がある。
【図面の簡単な説明】
【図１】本発明の実施の形態１に係るマトリックス型液晶表示装置の構成図である。
【図２】本発明の実施の形態１に係るマトリックス型液晶表示装置の表示の模式図である。
【図３】本発明の実施の形態１に係る映像データのタイミングチャートである。
【図４】本発明の実施の形態２に係るマトリックス型液晶表示装置の輝度と輝度変化量の液晶特性を示す図である。
【図５】従来の技術に係るマトリックス型液晶表示装置の表示の模式図である。
【図６】従来の技術に係るマトリックス型液晶表示装置の表示の模式図である。
【符号の説明】
１　液晶表示装置、２　基本回路、３　ＣＰＵ、４　タイミング発生回路、５
液晶パネル、６　ＡＣ駆動制御回路、７　画像補正回路。
【図１】
2004094017.tif 000003
【図２】
2004094017.tif 000004
【図３】
2004094017.tif 000005
【図４】
2004094017.tif 000006
【図５】
2004094017.tif 000007
【図６】
2004094017.tif 000008